(57)【要約】      （修正有）【課題】長時間持続して発光する基材表面の夜光パターン構造を提供する。【解決手段】ランプセード、写真のフレーム、時計の文字盤、宗教文物用品及び筆箱等の物品の基材１の表面に設けられたカラーパターン層２、該カラーパターン層の上に設けられた第１夜光層３、及び該カラーパターン層の上に設けられた第２夜光層４を具え、該第１、２夜光層が外界の光を吸収した後、照明が消されたり或いは暗闇となった時、第１、２夜光層が異なる色の発光を発生してカラーパターンの夜光効果を現出するよう形成されている。【選択図】図３
2005178258.tif 000002
【特許請求の範囲】
【請求項１】
多色或いはカラー夜光効果を発生する基材表面の夜光パターン構造であり、
基材と、
該基材の表面に設けられたカラーパターン層と、
該カラーパターン層の上に設けられた第１夜光層と、
該カラーパターン層の上に設けられた第２夜光層と、
を具え、光の照射下でカラーパターン層のカラーパターンを現出し、暗闇中或いは照明が消された時に第１夜光層、第２夜光層によりカラーパターンの夜光効果を形成することを特徴とする、基材表面の夜光パターン構造。
【請求項２】
請求項１記載の基材表面の夜光パターン構造において、基材が、紙、ポリ塩化ビニル、或いは布のいずれかとされたことを特徴とする、基材表面の夜光パターン構造。
【請求項３】
請求項１記載の基材表面の夜光パターン構造において、第１夜光層がカラーパターン層の表面局部或いは大面積部分、或いは輪郭線條の少なくともいずれかの上に形成されることを特徴とする、基材表面の夜光パターン構造。
【請求項４】
請求項１記載の基材表面の夜光パターン構造において、第２夜光層がカラーパターン層の表面局部或いは大面積部分、或いは輪郭線條の少なくともいずれかの上に形成されることを特徴とする、基材表面の夜光パターン構造。
【請求項５】
請求項１記載の基材表面の夜光パターン構造において、第１夜光層、第２夜光層が同じカラースペクトルを具えたことを特徴とする、基材表面の夜光パターン構造。
【請求項６】
請求項１記載の基材表面の夜光パターン構造において、第１夜光層、第２夜光層が異なるカラースペクトルを具えたことを特徴とする、基材表面の夜光パターン構造。
【請求項７】
請求項１記載の基材表面の夜光パターン構造において、第１夜光層、第２夜光層が重畳されたことを特徴とする、基材表面の夜光パターン構造。
【請求項８】
請求項１記載の基材表面の夜光パターン構造において、第１夜光層、第２夜光層の印刷厚さが印刷機器により制御されることを特徴とする、基材表面の夜光パターン構造。
【請求項９】
請求項１記載の基材表面の夜光パターン構造において、カラーパターン層に使用されるインクがカラー印刷インク或いはサーモインクのいずれかとされたことを特徴とする、基材表面の夜光パターン構造。
【発明の詳細な説明】
【技術分野】
【０００１】
本発明は一種の基材表面の夜光パターン構造に係り、特に、ランプセード、写真のフレーム、時計の文字盤、宗教文物用品及び筆箱等の物品の基材表面に製作されて多色或いはカラーの夜光効果を具えたパターンを現出させる基材表面の夜光パターン構造に関する。
【背景技術】
【０００２】
日常生活で最もよく目にされたり使用される物品に、ランプセード、写真立て、時計の文字盤、宗教文物用品及び筆箱等があり、これらの物品の生産製造過程において、業者は物品の最も目につく表面に、商標や象徴的なパターン或いは文字を印刷したり、或いはパターンを浮き彫りして消費者の購入意欲をかき立てている。
【０００３】
現在、スピーカ状のランプセード、写真のフレーム、時計の文字盤、宗教文物用品及び筆箱等の物品の表面には単色或いはカラーパターンが描かれたり、木目や石紋が印刷されて消費者を引きつけている。
【０００４】
しかし、これらの物品が屋内に設置される時、照明や屋外の光がある時は、表面の美しい模様が見えるが、夜になったり照明が消されると、暗闇で美しい表面が見えなくなったり、人がぶつかって地面に落ちることがある。このため、照明が消された後にナイトランプを点けて暗闇でもありかが分かるようにする人もある。しかし、医学的に、暗闇でナイトランプを点けて眠ることは、子供の眼にマイナスの影響を及ぼすため、ナイトランプを点けたまま眠るのは好ましくない。
【０００５】
このほか、現在市販されている時計は、文字盤の時間を表示する数字に蛍光剤が塗布され、蛍光剤が外界の光を吸収した後、暗闇になると蛍光剤が発光して時間を表示できるものがある。しかし発光部分は数字部分だけであり、また蛍光剤の発光時間は持久性がなく、短時間内に発光効果が失われてしまう。
【発明の開示】
【発明が解決しようとする課題】
【０００６】
本発明は上述の欠点を解決し、欠点の存在を無くすため、一種の基材表面の夜光パターン構造を提供するものである。本発明は、ランプセード、写真のフレーム、時計の文字盤、宗教文物用品及び筆箱等の物品に多色或いはカラー暗視効果を有する夜光インクを印刷し、この夜光インクにより約４時間から６時間の持久性を有する発光効果を提供する。本発明で使用する夜光インクは、希土類元素で励起するアルカリ土類アルミ酸塩で形成され、且つ自身は放射線及び毒性を具備せず、このため人体に傷害を与えず、伝統的な蛍光剤とは異なり、照明が消され暗闇となると、この印刷されたインクが多色或いはカラーの暗視効果を発生するほか、照明の効果を提供し、人が物品に衝突するのを防止するものとする。
【課題を解決するための手段】
【０００７】
請求項１の考案は、多色或いはカラー夜光効果を発生する基材表面の夜光パターン構造であり、
基材と、
該基材の表面に設けられたカラーパターン層と、
該カラーパターン層の上に設けられた第１夜光層と、
該カラーパターン層の上に設けられた第２夜光層と、
を具え、光の照射下でカラーパターン層のカラーパターンを現出し、暗闇中或いは照明が消された時に第１夜光層、第２夜光層によりカラーパターンの夜光効果を形成することを特徴とする、基材表面の夜光パターン構造としている。
請求項２の考案は、請求項１記載の基材表面の夜光パターン構造において、基材が、紙、ポリ塩化ビニル、或いは布のいずれかとされたことを特徴とする、基材表面の夜光パターン構造としている。
請求項３の考案は、請求項１記載の基材表面の夜光パターン構造において、第１夜光層がカラーパターン層の表面局部或いは大面積部分、或いは輪郭線條の少なくともいずれかの上に形成されることを特徴とする、基材表面の夜光パターン構造としている。
請求項４の考案は、請求項１記載の基材表面の夜光パターン構造において、第２夜光層がカラーパターン層の表面局部或いは大面積部分、或いは輪郭線條の少なくともいずれかの上に形成されることを特徴とする、基材表面の夜光パターン構造としている。
請求項５の考案は、請求項１記載の基材表面の夜光パターン構造において、第１夜光層、第２夜光層が同じカラースペクトルを具えたことを特徴とする、基材表面の夜光パターン構造としている。
請求項６の考案は、請求項１記載の基材表面の夜光パターン構造において、第１夜光層、第２夜光層が異なるカラースペクトルを具えたことを特徴とする、基材表面の夜光パターン構造としている。
請求項７の考案は、請求項１記載の基材表面の夜光パターン構造において、第１夜光層、第２夜光層が重畳されたことを特徴とする、基材表面の夜光パターン構造としている。
請求項８の考案は、請求項１記載の基材表面の夜光パターン構造において、第１夜光層、第２夜光層の印刷厚さが印刷機器により制御されることを特徴とする、基材表面の夜光パターン構造としている。
請求項９の考案は、請求項１記載の基材表面の夜光パターン構造において、カラーパターン層に使用されるインクがカラー印刷インク或いはサーモインクのいずれかとされたことを特徴とする、基材表面の夜光パターン構造としている。
【発明の効果】
【０００８】
本発明は上述の欠点を解決し、欠点の存在を無くすため、一種の基材表面の夜光パターン構造を提供している。本発明は、ランプセード、写真のフレーム、時計の文字盤、宗教文物用品及び筆箱等の物品に多色或いはカラー暗視効果を有する夜光インクを印刷し、この夜光インクにより約４時間から６時間の持久性を有する発光効果を提供する。本発明で使用する夜光インクは、希土類元素で励起するアルカリ土類アルミ酸塩で形成され、且つ自身は放射線及び毒性を具備せず、このため人体に傷害を与えず、伝統的な蛍光剤とは異なり、照明が消され暗闇となると、この印刷されたインクが多色或いはカラーの暗視効果を発生するほか、照明の効果を提供し、人が物品に衝突するのを防止する。
【０００９】
本発明の基材表面の夜光パターン構造は、基材と、基材表面に設けられたカラーパターン層と、該カラーパターン層の上に設けられた第１夜光層と、及び該カラーパターン層の上に設けられた第２夜光層とを具え、光の照射下でカラーパターン層のカラーパターン効果を形成し、暗闇或いは照明が消された時に、該第１、２夜光層によりカラーパターンの夜光効果を発生できるものとされる。
【発明を実施するための最良の形態】
【００１０】
図１、２、３には本発明の基材表面の夜光パターン構造の印刷過程が示される。本発明の基材表面の夜光パターン構造は、基材１表面に夜光効果を有する夜光パターンが印刷され、夜光パターンが外界の光を吸収した後、照明（図示せず）が切断されたり暗闇になる時、この夜光パターンが異なる色の発光を形成し、多色或いはカラーの夜光効果を現出し、この夜光インクは持久的な発光効果を有する（約４時間から６時間）。
【００１１】
この夜光効果を有する夜光インクの印刷過程で、まず基材１材料を選択する。この基材１は、照明器具、写真のフレーム、時計の文字盤、宗教文物用品及び筆箱等の物品に使用される紙、ポリ塩化ビニル、或いは布のいずれかとされ、ならびに基材１の表面にコロナ処理を行なう。このコロナ処理は一種の電撃処理であり、高圧電気で基材１の表面の毛細孔を処理して基材１表面の付着力を増す。
【００１２】
上述の基材表面の毛細孔処理完成後に、基材１表面にカラーインクを印刷してカラーパターン層２を形成する。
【００１３】
カラーパターン層２の印刷が完成した後、カラーパターン層２の表面に接着力の弱い接着剤を塗布し、その後、夜光インク印刷を行なう。この夜光インクは希土類元素で励起するアルカリ土類アルミ酸塩で製造され、且つ自身は放射線及び毒性を具備せず、このため人体に傷害を与えず、伝統的な蛍光剤とは異なる。前述の夜光インクをカラーパターン層２の表面局部２１或いは大面積部分２２、或いは輪郭線條２３の少なくとも一種類の上に印刷し、第１夜光層３を形成する。
【００１４】
上述の第１夜光層３の印刷完成後に、第１夜光層３の上に第２夜光層４を印刷して形成する。第２夜光層４を印刷する時は、第１夜光層３の表面には処理を行なう必要がないが、第２夜光層４の夜光インク中には硬化剤を加え、第２夜光層４の夜光インク印刷後に、第１夜光層３、第２夜光層４の強固性と表面の平坦度を増す。しかし、この第２夜光層４印刷時にはカラーパターン層２の別の色或いは別の表面局部２１或いは大面積部分２２、或いは輪郭線條２３の少なくとも一種類の上に印刷して、第１夜光層３と全体のカラーパターン層２の模様を区分することも可能である。上述の各層の印刷を完成すると、夜光効果を具えたパターンが完成する。
【００１５】
図３、４は本発明の基材表面の夜光パターン構造の印刷過程と印刷後の夜光効果を有するパターンを示す。夜光効果を有するカラーパターンの印刷完成後、このパターンの葉の輪郭線條２３の上には第１夜光層３が印刷され、葉の大面積部分２２には第２夜光層４が印刷され、光源照射下で、カラーパターン層２がカラー模様を現出する。
【００１６】
このカラーパターンがある時間の光の照射を受けた後に照明が消されたり暗闇になると、該カラーパターン層２の上に印刷された第１夜光層３、第２夜光層４が同じ色であると、カラーパターン層２の模様を表示することができる。また、第１夜光層３、第２夜光層４が異なる色である時、多色或いはカラーの夜光効果を発生できる。
【００１７】
図５は本発明の別の実施例表示図である。本発明の第１夜光層３、第２夜光層４は異なる色或いはスペクトルを発生するよう形成できるほか、異なる第１夜光層３、第２夜光層４が相互に重畳されて異なるスペクトルを出現させるものとされ得て、これにより人々は異なる夜光色を観ることができる。
【００１８】
第１夜光層３、第２夜光層４は明暗コントラスト効果を有するよう製作可能であるほか、印刷の厚さにより明暗コントラスト効果を制御することができ、且つこの第１夜光層３、第２夜光層４の印刷厚さは印刷機器により制御できる。
【００１９】
且つ、厚さの異なる第１夜光層３、第２夜光層４が重ね合わされる時、異なる夜光色を現出させられる。
【００２０】
さらに基材１材料が異なる時、異なる屈折効果が出現しうる。例えば毛羽立ったポリ塩化ビニル基材は多色拡散効果を発生しうる。
【００２１】
さらに、カラーパターン層２に使用されるインクは一般のカラー印刷インクのほか、サーモインクとされ得て、このサーモインクはマイクロカプセル技術を利用し、発色剤と電子反応触媒をマイクロカプセル中に被包し、熱に遭遇する時、波長変化を発生して発色或いは変色の効果を発生する。
【００２２】
さらに、本発明をランプセード、写真のフレーム、時計の文字盤、宗教文物用品及び筆箱等の物品に運用することができる。
【図面の簡単な説明】
【００２３】
【図１】本発明の基材表面の夜光パターン構造の印刷過程表示図である。
【図２】本発明の基材表面の夜光パターン構造の印刷過程表示図である。
【図３】本発明の基材表面の夜光パターン構造の印刷過程表示図である。
【図４】本発明の基材表面の夜光パターン表示図である。
【図５】本発明の別の実施例図である。
【符号の説明】
【００２４】
１  基材
２  カラーパターン層
２１  表面局部
２２  大面積部分
２３  輪郭線條
３  第１夜光層
４  第２夜光層
【図１】
2005178258.tif 000003
【図２】
2005178258.tif 000004
【図３】
2005178258.tif 000005
【図４】
2005178258.tif 000006
【図５】
2005178258.tif 000007